(57)【要約】【課題】タブレット端末に何ら加工をすることなく、タブレット端末を操作可能な状態で展示できると共に、タブレット端末のデザインを毀損することなく、そのデザインを最も把握し易い状態で展示することが可能な盗難防止具を提供する。【解決手段】タブレット端末Ｔの下端が嵌め込まれる係止溝１８が形成されベース金具１２を、所定の展示場所に固定する。上記タブレット端末Ｔよりも細幅に形成され上記タブレット端末Ｔの背面に沿って取り付けられる背面板１４ａであって、その上端に上記タブレット端末Ｔの上端に引っ掛けられる鉤部２０が設けられた背面板１４ａを有し、この背面板１４ａが所定の角度にて起立した端末側金具１４を、上記の展示場所に着脱可能に取り付ける。【選択図】図１
2014064607.tif 000002
【特許請求の範囲】
【請求項１】
タブレット端末(Ｔ)の下端が嵌め込まれる係止溝(１８)が形成され、所定の展示場所に固定されるベース金具(１２)と、
上記タブレット端末(Ｔ)よりも細幅に形成され上記タブレット端末(Ｔ)の背面に沿って取り付けられる背面板(１４ａ)であって、その上端に上記タブレット端末(Ｔ)の上端に引っ掛けられる鉤部(２０)が設けられた背面板(１４ａ)を有し、上記の背面板(１４ａ)が所定の角度にて起立した状態で、前記展示場所に着脱可能に取り付けられる端末側金具(１４)とで構成されていることを特徴とする盗難防止具。
【請求項２】
前記タブレット端末(Ｔ)を水平方向に対して４５±５°起立させた状態で保持することを特徴とする請求項１に記載の盗難防止具。
【発明の詳細な説明】
【技術分野】
【０００１】
本発明は、主としてタブレット端末を展示する際に好適な盗難防止具に関する。
【背景技術】
【０００２】
タブレット端末とは、板状の筐体(ケーシング)に、コンピュータ本体としての処理機能，入力装置としてのタッチパネルやボタン，及び表示装置としてのディスプレイやスピーカーなどを備えた情報端末であり、近年、その普及が急速に進んでいる。
このようなタブレット端末を販売店の店頭或いは展示会などで展示する際には、通常、盗難防止具が取り付けられる。
【０００３】
この種の盗難防止具として、例えば、下記の特許文献１に記載の盗難防止具は、段付螺子である取付螺子と、小筒部と大筒部とを段状に一体成形したスリーブ状の鎖止めとで構成されており、この盗難防止具を電子機器のケーシング(外匣)を止めている螺子の代わりに螺装し、鎖止めの貫通孔に連結用鎖を通すことによって、取付螺子を覆い、この取付螺子が緩められないようにしている。
【０００４】
また、下記の特許文献２に記載の盗難防止具は、前面側に開口部を有する硬質合成樹脂製のケース本体と、後面側に開口部を有し、少なくとも後部が上記ケース本体に内嵌可能な硬質合成樹脂製の蓋ケースとを有する。このケース本体と蓋ケースとは、係止部やロック手段などで着脱可能に連結されている。そして、上記蓋ケースとして、深さの異なる複数種類の蓋ケースを設け、収納する商品の寸法に応じて蓋ケースを取替可能にしている。
【０００５】
これらの盗難防止具を装着すれば、展示したタブレット端末の盗難を効果的に防止することができる。
【先行技術文献】
【特許文献】
【０００６】
【特許文献１】実開平６−４９８６３号公報
【特許文献２】特開２０１１−２１８０７９号公報
【発明の概要】
【発明が解決しようとする課題】
【０００７】
しかしながら、上記従来技術のうち、前者のものでは、タブレット端末のケーシングを止め付ける螺子孔が小さく強度が弱い場合や、ケーシングに螺子孔がない場合には、別途、タブレット端末のケーシングに螺子孔を穿設しなければならず、盗難防止具の取付けに手間がかかるのと同時に、このような盗難防止具取付用の螺子孔を穿設したタブレット端末は、展示後に販売可能な商品として取り扱うことができず、商品としての価値を失ってしまうという問題があった。
一方、後者のものでは、展示するタブレット端末自体に螺子孔などの加工を施す必要はないが、このような盗難防止具にタブレット端末を収容した場合、タブレット端末に実際に触ってみて操作感を確かめることができなくなるという問題があった。また、タブレット端末をケース本体と蓋ケースの内部に収容して展示した場合、ケース本体及び蓋ケースの着色の程度や見る角度、或いは光の当たり具合などにより、タブレット端末の優れたデザインを把握し難くなるといった場合もある。
【０００８】
それゆえに、本発明の主たる課題は、タブレット端末に何ら加工をすることなく、タブレット端末を操作可能な状態で展示できると共に、タブレット端末のデザインを毀損することなく、そのデザインを最も把握し易い状態で展示することが可能な盗難防止具を提供することである。
【課題を解決するための手段】
【０００９】
上記の目的を達成するため、本発明は、例えば、図１〜図１１に示すように、盗難防止具１０を次のように構成した。
タブレット端末Ｔの下端が嵌め込まれる係止溝１８が形成されベース金具１２を、所定の展示場所に固定する。
上記タブレット端末Ｔよりも細幅に形成され、上記タブレット端末Ｔの背面に沿って取り付けられる背面板１４ａであって、その上端に上記タブレット端末Ｔの上端に引っ掛けられる鉤部２０が設けられた背面板１４ａを有し、この背面板１４ａが所定の角度にて起立した端末側金具１４を、上記の展示場所に着脱可能に取り付ける。
本発明において、前記タブレット端末Ｔを水平方向に対して４５±５°起立させた状態で保持するのが好ましい。
さらに、本発明は、後述する各実施形態に記載された特有の構成を付加することが好ましい。
【発明の効果】
【００１０】
本発明は、次の作用効果を奏する。
すなわち、ベース金具の係止溝にタブレット端末の下端部を嵌め込み、タブレット端末の上端部に端末側金具の背面板上端に設けた鉤部を引っ掛けた後、この端末側金具を所定の展示場所に固定することによって、展示したタブレット端末が盗難されるのを防止することができる。その際、背面板がタブレット端末よりも細幅に形成されているので、展示したタブレット端末のデザインを毀損することがない。また、展示したタブレット端末の正面側は、係止溝に嵌め込まれた下端と鉤部が引っ掛けられた上端以外の部分は露出しているため、操作可能な状態となっている。
また、特に、上記タブレット端末を水平方向に対して４５±５°起立させた状態を保持して展示することによって、展示状態でのタブレット端末の操作性や意匠の一見把握性をより一層向上させることができる。
【図面の簡単な説明】
【００１１】
【図１】本発明の一実施形態の盗難防止具の使用態様を示す部分断面図である。
【図２】本発明の一実施形態の盗難防止具を示す正面図である。
【図３】本発明の一実施形態の盗難防止具を示す背面図である。
【図４】本発明の一実施形態の盗難防止具を示す右側面図である。
【図５】本発明の一実施形態の盗難防止具を示す平面図である。
【図６】本発明の一実施形態の盗難防止具を示す底面図である。
【図７】図５におけるＡ−Ａ線断面図である。
【図８】図５におけるＢ−Ｂ線断面図である。
【図９】図５におけるＣ−Ｃ線切断端面図である。
【図１０】本発明の盗難防止具におけるベース金具の一例を示す図で、（ａ）は正面図、（ｂ）は背面図、（ｃ）は右側面図、（ｄ）は平面図、（ｅ）は底面図である。
【図１１】本発明の盗難防止具における端末側金具の一例を示す図で、（ａ）は正面図、（ｂ）は背面図、（ｃ）は右側面図、（ｄ）は平面図、（ｅ）は底面図である。
【図１２】本発明の他の実施形態の盗難防止具を示す図で、（ａ）は正面図、（ｂ）は右側面図である。
【発明を実施するための形態】
【００１２】
以下、本発明の一実施形態を図１から図１１によって説明する。まず、盗難防止具１０を組み立てた状態を示す図１〜図９を中心に、盗難防止具１０の構造を説明する。なお、図２〜図６では本発明の盗難防止具１０を様々な方向から見た図を示しているが、左側面図は示されていない。この左側面図は、図４の右側面図と対称に表れるため省略している(図１０及び１１についても同様)。
本発明の盗難防止具１０は、展示台の天板Ｂ上などに設けられる所定の展示場所に取り付けて使用される、ディスプレイ機能を持った盗難防止用の金具であり、大略、ベース金具１２と端末側金具１４とで構成されている。
【００１３】
ベース金具１２(図１０参照)は、上記の天板Ｂに設けられた矩形の切欠孔ｂに嵌め込まれ、その上面が上記の天板Ｂと略面一となる形状の本体部１２ａを有する。この本体部１２ａの長辺側下端部には、天板Ｂの裏面に当接するよう水平方向に延ばされた水平片１２ｂが設けられている。さらに、この水平片１２ｂには、ベース金具１２を天板Ｂに裏面側からビスＶを用いて固定する際に使用するビス孔１６が複数設けられている。
【００１４】
そして、このベース金具１２の本体部１２ａ上面における幅方向(短辺方向)略中央部には、長手方向に延ばされてタブレット端末Ｔの下端が嵌め込まれる係止溝１８が凹設されている。また、この係止溝１８の長手方向略中央部には、固定したタブレット端末Ｔへの配線などを行うための長孔１８ａが穿設されている。
【００１５】
端末側金具１４(図１１参照)は、タブレット端末Ｔよりも細幅に形成され、上記タブレット端末Ｔの背面に沿って取り付けられる背面板１４ａを有する。この背面板１４ａの上端には、上記タブレット端末Ｔの上端に引っ掛けられる鉤部２０が設けられる。また、背面板１４ａの下部には、この背面板１４ａを所定の角度にて保持する倒伏三角柱状の支持部材１４ｂが一体的に設けられている。この支持部材１４ｂにおける背面板１４ａと一体化された部分(面)には矩形の開口１４ｃが設けられており、さらに、支持部材１４ｂの底面には、端末側金具１４を所定の取付位置に着脱可能に取り付けるための螺子Ｓが螺合する複数の螺子孔１４ｄが設けられている。
【００１６】
ここで、この端末側金具１４を所定の取付位置に取り付けると、背面板１４ａが水平方向に対して４５±５°起立した状態となるように上記の支持部材１４ｂを構成している。
【００１７】
上述のように構成された盗難防止具１０を用いてタブレット端末Ｔを展示する際には、先ず初めにタブレット端末Ｔの下端をベース金具１２の係止溝１８に差し込む。
続いて、タブレット端末Ｔの背面に端末側金具１４の背面板１４ａを当接させると共に、タブレット端末Ｔの上端に鉤部２０を引っ掛けた後、螺子孔１４ｄに螺子Ｓを螺合して展示台における天板Ｂ上の所定位置に端末側金具１４を固定する。これにより、所定の展示場所への盗難防止具１０の取付けが完了し、盗難を防止しながらタブレット端末Ｔを展示することができる。
【００１８】
上記の実施形態の盗難防止具１０は、次の長所を奏する。
すなわち、背面板１４ａがタブレット端末Ｔよりも細幅に形成されているので、展示したタブレット端末Ｔのデザインを毀損することがない。また、展示したタブレット端末Ｔの正面側は、係止溝１８に嵌め込まれた下端と鉤部２０が引っ掛けられた上端以外の部分は露出しているため、操作可能な状態となっている。
また、上記タブレット端末Ｔを水平方向に対して４５±５°起立させた状態で展示しているので、展示状態でのタブレット端末Ｔの操作性や意匠の一見把握性をより一層向上させることができる。
【００１９】
上記の実施形態は、次のように変更可能である。
前記端末側金具１４に開口１４ｃを設けているが、このような開口１４ｃが不用な場合には、開口１４ｃを設けなくてもよい。
【００２０】
また、上記の実施形態では、前記背面板１４ａが、前記タブレット端末Ｔの背面に直接当接するようにしているが、図１２に示すように、背面板１４ａの表面にウレタンフォームやゴムスポンジシート等の弾性材料からなるクッション部材２２を設けるようにしてもよい。
【符号の説明】
【００２１】
１０…盗難防止具
１２…ベース金具
１２ａ…本体部
１２ｂ…水平片
１４…端末側金具
１４ａ…背面板
１４ｂ…支持部材
１４ｃ…開口
１４ｄ…螺子孔
１６…ビス孔
１８…係止溝
１８ａ…長孔
２０…鉤部
２２…クッション部材
Ｔ…タブレット端末
Ｖ…ビス
Ｓ…螺子
【図１】
2014064607.tif 000003
【図２】
2014064607.tif 000004
【図３】
2014064607.tif 000005
【図４】
2014064607.tif 000006
【図５】
2014064607.tif 000007
【図６】
2014064607.tif 000008
【図７】
2014064607.tif 000009
【図８】
2014064607.tif 000010
【図９】
2014064607.tif 000011
【図１０】
2014064607.tif 000012
【図１１】
2014064607.tif 000013
【図１２】
2014064607.tif 000014